(57)【要約】【課題】ヘリカルに薄手高性能磁気テープ上に記録再生する高容量、高転送レートであるドライブにおいて、磁気ヘッドを搭載した高速回転シリンダーで薄手高性能磁気テープ上に記録再生時のエンベロープが安定せず、特に磁気ヘッドと磁気テープの摺動始め（入り側）においての磁気ヘッドと薄手高性能磁気テープの接触が安定せず、特に入側のエンベロープが落ち込み良好なエラーレートが確保できない。【解決手段】磁気ヘッドコア半体を接合させた磁気コアにおいて磁気テープ摺動始め（入り側）の入り側磁気ヘッドコア半体の摺動曲率と面取り角度が反磁気ヘッドコア（出側）の摺動曲率と面取り角度が異なった構成であって、入り側磁気ヘッドコア半体の摺動曲率が出側磁気ヘッドコア半体の摺動曲率よりも小さく、また、面取り角度は入り側磁気ヘッドコア半体が大きい構成でなることを特徴とする。【選択図】図１
2006244661.tif 000002
【特許請求の範囲】
【請求項１】
ヘリカルに磁気テープ上に記録再生するシリンダーに搭載する磁気ヘッドにおいて、巻線コイルが巻回する巻線窓部を有する磁気ヘッドコア半体を、その端面同士が対向するように配置して磁気ギャプを形成し、磁気ヘッドコア半体を接合させ、その接合面の反対の端面に面取りを構成し、磁気テープに摺動始め側の入り側磁気ヘッドコアの摺動曲率半径と面取り角度が反磁気ヘッドコアである出側磁気ヘッドコアの摺動曲率半径と異なった構成であって、入り側磁気ヘッドコアの摺動曲率半径が小さく、面取り角度は大きい事を特徴とする磁気ヘッド。
【発明の詳細な説明】
【技術分野】
【０００１】
本発明は、高周波帯域で使用されるデバイス、例えばハイビジョンデジタルＶＴＲやデーターストリーマーなどの高周波信号を記録再生するのに適した磁気ヘッドに関するものである。
【背景技術】
【０００２】
近年、ハイビジョンデジタルＶＴＲやデーターストリーマー等の高容量化や広帯域の信号を取り扱うシステムの開発が盛んに行われており、磁気ヘッドとしても、これら高抗磁力媒体に対応できるような高飽和磁束密度を有し、高容量化に伴い狭トラック化し、４０ＭＨｚ以上の高周波帯域での特性の優れた磁気ヘッドの開発が望まれてきた。また、高周波帯域での再生効率を高めるため狭磁気ギャップ化されてきている。そこで、このような要求に対応するために、センダストやアモルファス磁性合金、ＦｅＴａＮ等の金属磁性膜と絶縁膜とを積層した金属磁性層の両側を非磁性基板で挟持した構造にして高周波特性を向上させた磁気ヘッド、いわゆる積層型磁気ヘッドが開発されている。また、非磁性基板としてはチタン酸マグネシウム系やチタン酸カルシュウム系等のセラミックス材料が多く用いられている。磁気記録媒体である磁気テープもこのような大量の情報を記録するために、高容量化及び高記録密度化に伴い磁気テープの厚みを薄くし、また、従来の酸化鉄系から合金粉末媒体や金属蒸着媒体等の高抗磁力媒体へと変わってきた。また、高周波信号などを記録再生するドライブの磁気ヘッドを搭載したシリンダーにおいても、シリンダーの回転数を早くするなどして高転送レートなどが要求されている。
【０００３】
しかし、磁気テープの薄型化やシリンダーの高回転においても安定した記録再生する時に良好なエンベロープが求められている。その為にドライブの磁気テープのテンションやシリンダーの溝などの形状や溝本数などの提案がなされている。磁気ヘッドにおいては、磁気テープ摺動面の入側と出側の面圧を均一にする（特許文献１）などの提案がなされている。
【特許文献１】特開平３−４９０１６号公報
【発明の開示】
【発明が解決しようとする課題】
【０００４】
解決しようとする問題点は、ヘリカルに薄手高性能磁気テープ上に記録再生する高容量、高転送レートであるドライブにおいて、磁気ヘッドを搭載した高速回転シリンダーで薄手高性能磁気テープ上に記録再生時のエンベロープが安定せず、特に磁気ヘッドと磁気テープの摺動始め（入り側）においての磁気ヘッドと薄手高性能磁気テープ（以降磁気テープと記す）の接触が安定せず、入側のエンベロープが落ち込み良好なエラーレートが確保できない。また、磁気テープのテンションを強くすることによりドライブの走行系で磁気テープにダメージを与え、磁気ヘッドに目詰まりなどの影響でエラーレート不良になる問題点がある。
【課題を解決するための手段】
【０００５】
本発明は、磁気ヘッドコア半体を接合させた磁気コアにおいて磁気テープ摺動始め（入り側）の入り側磁気ヘッドコア半体の摺動曲率が反磁気ヘッドコア（出側）の摺動曲率と面取り角度が異なった構成であって、入り側磁気ヘッドコア半体の摺動曲率が出側磁気ヘッドコア半体の摺動曲率よりも小さく、また、面取り角度は入り側磁気ヘッドコア半体が大きい構成でなることを特徴とする。
【発明の効果】
【０００６】
本発明の磁気ヘッドは、高速回転シリンダーに搭載しヘリカルに磁気テープ上に記録再生するドライブにおいて、入り側磁気ヘッドコア半体の摺動曲率を小さくする事により入り側磁気テープとの面圧を出側磁気ヘッドコア半体と出側磁気テープとの面圧より高くし、また、シリンダー窓における入り側磁気テープの吸い込み量を出側磁気テープの吸い込み量より多くし、磁気ヘッドと磁気テープの摺動始め側のエンベロープの落ち込みや不安定を改善できるものである。また、磁気テープテンションを高くする事もなくなりドライブの走行系による磁気テープへのダメージも改善できるものである。
【発明を実施するための最良の形態】
【０００７】
磁気ヘッドと磁気テープとの良好なヘッドタッチを確保し、磁気テープへのダメージもなく良好なエンベロープが得られ、高容量で高転送レートであるドライブを実現した。
【０００８】
（実施の形態１）
本発明の磁気ヘッドの実施例について、図面を参照しながら詳細に説明する。また、各図においては同一構成要素のものには同一符号を付しその詳細な説明は省略する。
【０００９】
図１は、本発明磁気ヘッドの実施の形態１の積層型磁気ヘッドの断面図であって、１は入り側磁気ヘッドコア、２は出側磁気ヘッドコア、３は磁気ギャップ、４はトラックである金属磁性層であって金属薄膜と非磁性膜を積層してなる、５は非磁性基板、６はモールドガラス、７は巻線窓、８は入り側面取り部、９は出側面取り部である。本実施例では磁気コアである金属磁性層の金属磁性膜には飽和磁束密度が大きいアモルファス磁性合金のＦｅ−Ｔａ−Ｎであって、Ｓｉ或いはＺｎなどの金属が含まれる物であってもよく、また、Ｃｏ系のＣｏＮｂＺｒＴａなどの物であっても良い、絶縁膜にはＳｉ０２膜で、基板には非磁性のＮｉ−Ｔｉ−Ｃａセラミックスであって、非磁性単結晶フェライト基板であっても良い、接着層にはホウ珪酸ガラスを用いており、磁気ヘッドの構造としては金属磁性層１の両端を一対の基板５で挟持する構造の積層型磁気ヘッドである。尚、磁気ヘッドの構造はメタルインギャップ（ＭＩＧ）形、薄膜ヘッドであっても構わないものである。
【００１０】
以下、本発明の詳細な実施例を説明する。実施例１ではＮｉ−Ｔｉ−Ｃａセラッミクス基板に公知のスパッタリングによりＡｌ２０３膜を１．０μｍ成膜し、一対の金属磁性膜の磁化容易軸方向  が磁気ギャップ面と層面内でほぼ平行であり、かつ一対の金属磁性膜以外の磁化容易軸方向  が磁気ギャップ面とほぼ直交した金属磁性膜であるＦｅ−Ｔａ−Ｎを同様に公知のスパッタリングにより０．４μｍ成膜し、非磁性膜であるＳｉ０２膜で０．００５μｍ成膜した金属磁性膜を６層成膜した多層金属磁性膜に絶縁膜であるＳｉ０２膜を０．１５μｍ成膜した金属磁性層を３層積層した８．９μｍのトラック幅で構成された磁気コア半体を準備し。それぞれの磁気コア半体に巻線部をとなる溝を設けた磁気コア半体を作成した。作成された磁気コア半体をその端面同士が対向するように配置して実行ＧＬが０．１５μｍになるようにホウ珪ガラスとパイレックス（登録商標）ガラスを用いて形成してそれぞれの磁気ヘッドコアを接合した。接合された磁気ヘッドの入り側磁気ヘッドコアに４５°の面取りを入れ、また、出側磁気ヘッドコアには２０°面取りを入れ、公知である円筒研削機を用いて入り側磁気ヘッドコアの摺動曲率半径を４．５ｍｍ、出側摺動曲率６．５ｍｍで磁気ヘッドコアを加工して、磁気ヘッドコア厚み８０μｍに切断して磁気ヘッドコアを準備した。その磁気ヘッドコアに巻線を１７ターン巻き、公知のテープ研磨装置によりギャップデプス１１μｍの積層型磁気ヘッドを作成した。尚、比較例１．２．として摺動曲率半径以外は同一仕様で準備し、それぞれの入り側・出側磁気ヘッドコアの摺動曲率半径を６．５ｍｍ（比較例１）のものと４．５ｍｍ（比較例２）のものを比較例として作成した。また、入り側・出側磁気ヘッドコアの面取り角をそれぞれ２０°（比較例４）、４５°（比較例３）のものを作成した。
作成された本発明の積層型磁気ヘッドをデーターストリーマーであるＤＡＴ７２のドライブに搭載して、実施例、比較例それぞれ１０台準備し、６３ＭＨｚの高周波での記録再生を行いその時のエンベロープの平坦度とエラーレートを評価した。
その結果を表１に示す。
【００１１】
【表１】
2006244661.tif 000003
【００１２】
尚、エンベロープ平坦度は図３に示す様にエンベロープ平均値Ａ、エンベロープ落ち込み部Ｂであって、エンベロープ平坦度＝Ｂ／Ａ（％）で求めている。表１の結果において、入り側の摺動曲率半径を小さくすることにより入り側の磁気テープとの接触面圧を高くし、また、シリンダー窓での吸い込み量が増えることにより磁気テープと入り側の磁気ヘッドコア半体の摺動面で磁気テープが十分接触することができエンベロープの落ち込みもなく良好な結果が得られた。また、面取り角度においても入り側の角度を大きくすることの効果も確認できた。
【００１３】
次に、５０℃２０％の高温低湿環境下連続走行試験を１０００ｈ行った。１０００ｈ後のエンベロープ平坦度とエラーレートの評価を行った。その結果を表２に示す。
【００１４】
【表２】
2006244661.tif 000004
【００１５】
連続信頼性の結果からも継続して入り側磁気ヘッドコアと磁気テープの接触面圧を高く維持できることにより信頼性の高い、本発明の磁気ヘッドの効果は確認できた。
【産業上の利用可能性】
【００１６】
本発明にかかる磁気ヘッドは、高周波帯域で使用されるデバイス、例えばハイビジョンデジタルＶＴＲやデーターストリーマーなどの高周波信号を記録再生するドライブなどに適用できる。
【図面の簡単な説明】
【００１７】
【図１】本発明の実施の形態１に於ける磁気ヘッドの外観図
【図２】エンベロープ平坦度を表す図
【符号の説明】
【００１８】
１    入り側磁気ヘッドコア半体
２    出側磁気ヘッドコア半体
３    磁気ギャップ
４    金属磁性層
５    非磁性基板
６    モールドガラス
７    巻線窓
８    入り側面取り
９    出側面取り
【図１】
2006244661.tif 000005
【図２】
2006244661.tif 000006